(57)【要約】      （修正有）【課題】可搬非接触決済物体を起動する方法及びシステムを提供する。【解決手段】トークン化による電子決済に関与することができる計時器又は宝飾品型の可搬非接触決済物体２を起動するシステム１において、起動方法は、電子デバイス、特に携帯電子デバイス３によって、トークンによる決済サービスを提供する、信頼できる第三者機関４のサーバから到来する決済トークン９を入手するステップ及び可搬非接触決済物体２を使用し、電子デバイス３内に含まれるトークン９を可搬非接触決済物体２に送信する目的で、起動端末５により可搬非接触決済物体２を環境設定するステップを含む。【選択図】図１
2020064633.tif 000002
【特許請求の範囲】
【請求項１】
トークン化による電子決済に関与することができる計時器又は宝飾品型の可搬非接触決済物体（２）を起動する方法であって、前記方法は、
−電子デバイス（３）、特に携帯電子デバイス（３）によって、トークンによる決済サービスを提供する、信頼できる第三者機関（４）のサーバから到来する決済トークン（９）を入手するステップ（３０）、及び
−前記可搬非接触決済物体（２）を使用し、前記電子デバイス（３）内に含まれる前記トークン（９）を前記可搬非接触決済物体（２）に送信する目的で、起動端末（５）により前記可搬非接触決済物体（２）を環境設定するステップ（４１）
を含む、方法。
【請求項２】
前記入手するステップ（３０）は、前記電子デバイス（３）によって、前記起動端末上に含まれる第１のグラフィカル表現（１４ａ）をデジタル化するサブステップ（３１）を含み、前記第１のグラフィカル表現（１４ａ）は、マトリックス・コードを含むことを特徴とする、請求項１に記載の方法。
【請求項３】
前記入手するステップ（３０）は、２進情報シーケンスを入手する目的で、前記マトリックス・コードを復号するサブステップ（３３）を含み、前記２進情報シーケンスは、前記電子デバイス（３）を環境設定するデジタル・ファイルの位置に関係するデータを含むことを特徴とする、請求項１又は２に記載の方法。
【請求項４】
前記入手するステップ（３０）は、前記デジタル・ファイルによって環境設定した前記電子デバイス（３）によって、前記決済トークン（９）の入手要求を生成するサブステップ（３５）を含み、前記決済トークン（９）は、少なくとも１つのバンキング・データ項目（１２）を含む前記トークン（９）を生成するデータを含むことを特徴とする、請求項１から３のいずれか一項に記載の方法。
【請求項５】
前記入手するステップ（３０）は、前記信頼できる第三者機関（４）のサーバによって前記決済トークン（９）を前記電子デバイス（３）に送信するサブステップ（３９）を含むことを特徴とする、請求項１から４のいずれか一項に記載の方法。
【請求項６】
前記可搬非接触決済物体（２）の環境設定ステップ（４１）は、起動端末（５）上／内に画定したデータ送信区域（１６）上に前記可搬非接触決済物体（２）を配置するサブステップ（４２）を含むことを特徴とする、請求項１から５のいずれか一項に記載の方法。
【請求項７】
前記可搬非接触決済物体（２）の環境設定ステップ（４１）は、前記電子デバイス（３）によって、前記起動端末（５）上に含まれる第２のグラフィカル表現（１４ｂ）をデジタル化するサブステップ（４３）を含み、前記第２のグラフィカル表現（１４ｂ）は、マトリックス・コードを含むことを特徴とする、請求項１から６のいずれか一項に記載の方法。
【請求項８】
前記可搬非接触決済物体（２）の環境設定ステップ（４１）は、２進情報シーケンスを入手する目的で、前記マトリックス・コードを復号するサブステップ（４５）を含み、前記２進情報シーケンスは、前記電子デバイス（３）と前記起動端末（５）との間の通信リンクの環境設定に関係するデータを含むことを特徴とする、請求項１から７のいずれか一項に記載の方法。
【請求項９】
トークン化による電子決済に関与することができる計時器又は宝飾品型の可搬非接触決済物体（２）を起動するシステム（１）であって、前記システム（１）は、互いに通信することができる以下の要素：電子デバイス（３）、特に携帯電子デバイス（３）、トークン（９）による決済サービスを提供する、信頼できる第三者機関（４）のサーバ、及び起動端末（５）を備える、システム（１）。
【請求項１０】
前記起動端末（５）は、それぞれマトリックス・コードを含む第１のグラフィカル表現（１４ａ）及び第２のグラフィカル表現（１４ｂ）を含むことを特徴とする、請求項９に記載のシステム（１）。
【請求項１１】
前記起動端末（５）は、データ送信区域（１６）を含むことを特徴とする、請求項９又は１０に記載のシステム（１）。
【請求項１２】
請求項９から１１のいずれか一項に記載のシステム（１）内で使用することができる計時器又は宝飾品型の可搬非接触決済物体（２）。
【請求項１３】
請求項９から１１のいずれか一項に記載のシステム（１）内で使用することができる起動端末（５）。
【請求項１４】
コンピュータ・プログラムであって、前記コンピュータ・プログラムは、前記サーバ（４）の処理モジュール（１０）、前記電子デバイス（３）の前記処理ユニット（２１）及び前記可搬非接触決済物体（２）の前記非接触近接通信モジュール（６）によって前記コンピュータ・プログラムを実行した際に、請求項１から８のいずれか一項に記載の方法ステップを実行するプログラム・コード命令を含む、コンピュータ・プログラム。
【発明の詳細な説明】
【技術分野】
【０００１】
本発明は、トークン化による電子決済に関与することができる計時器又は宝飾品型の可搬非接触決済物体を起動する方法、及びそのような方法を実施するシステムに関する。
【０００２】
本発明は、このシステム内で使用することができる可搬物体及び起動端末にも関する。
【０００３】
本発明は、この方法ステップを実行するプログラム・コード命令を含むコンピュータ・プログラムにも関する。
【背景技術】
【０００４】
デジタル経済がますます発展するにつれて、ここ数年、銀行カードによる決済取引の割合は、大幅に増加している。この背景において、こうした銀行カードの保護に対する顕著な改善は達成されているが、銀行カードに対する詐欺は、依然として存在したままである。
【０００５】
この欠点を克服するため、特に、「トークン化」による決済方法の提案による、新規な決済方法が出現している。この新規な方法では、見込み購入者のバンキング・データを、「トークン」と呼ばれる破棄可能なデータとを取り替え、「トークン」は、コンピュータフォン等の決済媒体の携帯決済アプリケーション内に保存されている。したがって、購入者は、このコンピュータフォンの中で、ＮＦＣ（近距離無線通信）技術により、購入者が近距離決済で使用し得るトークンを有する。
【０００６】
しかし、この方法の主な欠点の１つは、決済媒体の起動に対し、多数の長く複雑な起動動作を必要とするその実施態様にある。
【発明の概要】
【発明が解決しようとする課題】
【０００７】
本発明の目的は、単純で迅速な決済媒体の起動を提案することによって、上述の欠点の全部又は一部を克服することである。
【課題を解決するための手段】
【０００８】
この目的で、本発明は、トークン化による電子決済に関与することができる計時器又は宝飾品型の可搬非接触決済物体を起動する方法に関し、方法は、
−電子デバイス、特に携帯電子デバイスによって、トークンによる決済サービスを提供する、信頼できる第三者機関のサーバから到来する決済トークンを入手するステップ、及び
−可搬物体を使用し、電子デバイス内に含まれる該トークンを該可搬物体に送信する目的で、起動端末により可搬物体を環境設定するステップ
を含む。
【０００９】
他の実施形態では、
−入手ステップは、電子デバイスによって、起動端末上に含まれる第１のグラフィカル表現をデジタル化するサブステップを含み、該グラフィカル表現は、マトリックス・コードを含み、
−入手ステップは、２進情報シーケンスを入手する目的で、マトリックス・コードを復号するサブステップを含み、２進情報シーケンスは、電子デバイスを環境設定するデジタル・ファイルの位置に関係するデータを含み、
−入手ステップは、デジタル・ファイルによって環境設定した電子デバイスによって、この決済トークンを入手する要求を生成するサブステップを含み、決済トークンは、少なくとも１つのバンキング・データ項目を含む該トークンを生成するデータを含み、
−入手ステップは、信頼できる第三者機関のサーバによって決済トークンを電子デバイスに送信するサブステップを含み、
−可搬決済物体を環境設定するステップは、起動端末上／内に画定したデータ送信区域上に、この可搬物体を配置するサブステップを含み、
−可搬物体を環境設定するステップは、電子デバイスによって、起動端末上に含まれる第２のグラフィカル表現をデジタル化するサブステップを含み、該グラフィカル表現は、マトリックス・コードを含み、
−可搬物体を環境設定するステップは、２進情報シーケンスを入手する目的で、マトリックス・コードを復号するサブステップを含み、２進情報シーケンスは、この電子デバイスと起動端末との間の通信接続の環境設定に関係するデータを含む。
【００１０】
本発明は、トークン化による電子決済に関与することができる計時器又は宝飾品型の可搬非接触決済物体を起動するシステムにも関し、システムは、互いに通信することができる以下の要素：電子デバイス、特に携帯電子デバイス、トークンによって決済サービスを提供する、信頼できる第三者機関のサーバ、及び起動端末を備える。
【００１１】
有利には、起動端末は、それぞれがマトリックス・コードを含む第１のグラフィカル表現及び第２のグラフィカル表現を備える。
【００１２】
特に、起動端末は、データ送信区域を含む。
【００１３】
本発明は、そのようなシステム内で使用することができる計時器又は宝飾品型の可搬非接触決済物体にも関する。
【００１４】
本発明は、そのようなシステム内で使用することができる起動端末にも関する。
【００１５】
本発明は、コンピュータ・プログラムにも関し、コンピュータ・プログラムは、サーバの処理モジュール、電子デバイスの処理ユニット及び可搬物体の非接触近接通信モジュールによって該コンピュータ・プログラムを実行した際に、この方法ステップを実行するプログラム・コード命令を含む。
【００１６】
他の特徴及び利点は、添付の図面を参照して、決して限定ではなく、表示として以下に示す説明から明らかになるであろう。
【図面の簡単な説明】
【００１７】
【図１】本発明の実施形態による、トークン化による電子決済に関与することができる計時器又は宝飾品型の可搬非接触決済物体を起動するシステムの概略図である。
【図２】本発明の実施形態による、トークン化による電子決済に関与することができる可搬非接触決済物体を起動する方法に関係する論理図である。
【発明を実施するための形態】
【００１８】
図１は、可搬非接触決済物体２を起動するシステム１を示す。そのようなシステム１は、可搬物体２を環境設定することを可能にし、可搬物体２が、商人／店主と、この可搬物体２の保持者との間で実施される取引の間、トークン化によって電子決済に関与するようにする。
【００１９】
トークン化による電子決済は、電子バンキングの分野にある。そのような分野において、このトークン化は、バンキング・データ１２（カード番号等）等の決済データと、「トークン９」と呼ばれる破棄可能データとを取り替える方法である。このトークン９は、「ＤＡＮ」（デジタル・アカウント・ナンバーを表す）とも呼ばれる。言い換えれば、この方法は、重要なデータ項目を等価な要素、ここでは、「トークン９」と取り換え可能にし、トークン９は、一度決済システムを離れると固有値又は利用可能な表示をもたない。したがって、トークン化は、重要なデータ項目を、一度決済システムを離れると固有値又は利用可能な表示をもたない等価な要素と取り換える方法であると理解されよう。
【００２０】
この場合、そのようなシステム１は、
−可搬非接触決済物体２；
−電子デバイス３；
−トークン９により決済サービスを提供する、信頼できる第三者機関４のサーバ；
−起動端末５
を備える。
【００２１】
このシステム１において、可搬非接触決済物体２は、好ましくは、計時器又は宝飾品である。そのような物体２は、非接触近接通信モジュール６を備え、非接触近接通信モジュール６は、安全機能、及び「近距離無線通信」型のかなり近距離の通信を実施する。このモジュールは、ＮＦＣ（「近距離無線通信」を表す）近接通信モジュール６とすることができる。このモジュール６は、近距離無線通信アンテナ７ａ、及びアンテナに接続した小型回路７ｂを備える。小型回路７ｂ及びアンテナ７ａは、非接触決済端末又は起動端末５等の外部機器製品と通信することができる近距離無線通信手段を一緒に形成する。小型回路７ｂは、ハードウェア及びソフトウェア資源、特に、メモリ要素８と協働する少なくとも１つのプロセッサを備える。この可搬物体２において、アンテナ７ａは、例えば、複数の導電性巻回体によって形成され、磁界を受ける有用な表面の境界を定める。
【００２２】
この可搬物体２において、メモリ要素８は、少なくとも１つの決済トークン９をアーカイブすることができる。このトークン９は、非網羅的、非制限的に、
−トークン番号等のトークン識別子；
−トークンの有効期限又はトークンの有効期間；
−トークンを使用する地理的領域；
−取引天井；
−暗号
を含み、暗号は、パスワード、個人コード又はデジタル生体認証指紋とすることができる。
【００２３】
以下でわかるように、各トークン９は、トークンによって決済サービスを提供する、信頼できる第三者機関４のサーバによって生成される。この信頼できる第三者機関は、別様にはトークン・サービス・プロバイダとも呼ばれ、このトークン９を配信、生成する方法を管理する。このサーバ４は、ハードウェア及びソフトウェア資源、特にメモリ要素と協働する少なくとも１つのプロセッサを備える処理モジュール１０、並びに特に、生成したトークン９を備えるデータベース１１を備え、トークン９はそれぞれ、保持者のバンキング・データ１２と関連付けられる。そのようなバンキング・データ１２は、非制限的、非網羅的に、
−保持者の銀行カード番号；
−カード有効期限；
−保持者の個人データ：姓、名、住所等；
−銀行口座番号；
−等
を含む。
【００２４】
サーバ４は、ある距離で、携帯電話ネットワークを介して、電話ネットワークを介するＩＰ型データ・ネットワークを介して、又はイーサネット（登録商標）型ケーブル・ネットワークを介するＩＰ型データ・ネットワークを介して、データを送受信する通信ユニット１３も備える。
【００２５】
既にわかるように、このシステム１の起動端末５は、可搬物体２の環境設定に関与する。この起動端末５は、好ましくは本質的に平行六面体形状を有する箱である。そのような起動端末５は、それぞれがマトリックス・コードを含む第１のグラフィカル表現１４ａ及び第２のグラフィカル表現１４ｂを含む。このマトリックス・コードは、２次元又は３次元のバーコードとすることができる。このマトリックス・コードは、例えば、ＱＲコード（登録商標）又はデータマトリックス・コードを含むことができる。このマトリックス・コードは、符号化／暗号化した２進情報シーケンスを含む。第１のグラフィカル表現１４ａにおいて、マトリックス・コードは、電子デバイス３を環境設定するデジタル・ファイルの位置に関係するデータを含む２進情報シーケンスを含む。第２のグラフィカル表現に関し、マトリックス・コードは、この電子デバイス３と起動端末５との間の、特にワイヤレスの通信リンクの環境設定に関係するデータを含む２進情報シーケンスを含む。
【００２６】
そのような第１のグラフィカル表現１４ａ及び第２のグラフィカル表現１４ｂは、この起動端末５の外側面上に定義され、見ることができる。以下でわかるように、この見ることができる外側面は、電子デバイス３をこの外側面と対向して配置し、これら第１のグラフィカル表現１４ａ、第２のグラフィカル表現１４ｂを捕捉する位置にあるように設計されることは理解されよう。起動端末５は、データ送信区域１６も備え、データ送信区域１６内に可搬物体２を配置することができるか、又はデータ送信区域１６は、この可搬物体２を受ける／支持することができる。
【００２７】
そのような起動端末５は、２つの通信モジュール、即ち、第１の通信モジュール１５ａ及び第２の通信モジュール１５ｂを備える。この第１の通信モジュール１５ａは、非接触近接通信ユニットを備え、非接触近接通信ユニットは、特定の安全機能を実施し、「近距離無線通信」型のかなり近距離の通信を行う。このユニットは、可搬物体２の通信モジュール６とデータを双方向に交換することができる。このユニットは、ＮＦＣ（「近距離無線通信」を表す）近接通信ユニットとすることができる。これを行うため、このユニットは、近距離無線通信アンテナ、及びアンテナに接続した小型回路を備える。小型回路は、ハードウェア及びソフトウェア資源、特に、メモリ要素と協働する少なくとも１つのプロセッサを備える。この可搬物体２において、アンテナは、例えば、複数の導電性巻回体によって形成され、磁界を受ける有用な表面の境界を定める。
【００２８】
第２の通信モジュール１５ｂは、ある距離で、Ｗｉ−Ｆｉ又はＢｌｕｅｔｏｏｔｈ（登録商標）型のワイヤレス・ネットワークを介してデータを送受信する通信ユニットを備える。この第２のモジュールは、電子デバイス３とデータを双方向に交換することができる。
【００２９】
更に、起動端末５は、外部電源に接続され、蓄電器を備えることに留意されたい。
【００３０】
電子デバイス３は、例えば、コンピュータ、コンピュータフォン、スマートフォン、タブレット又は電子端末である。そのような電子デバイス３は、好ましくは、携帯及び／又は可搬及び／又は小型電子デバイスである。この電子デバイス３は、非制限的及び／又は非網羅的に、
−ハードウェア及びソフトウェア資源、特に、メモリ要素と協働する少なくとも１つのプロセッサを備える処理ユニット２１；
−画面型の表示モジュール１７；
−スピーカ等、可聴情報を同報通信するインターフェース；
−電子デバイス３が、起動端末５及び／又は信頼できる第三者機関４のサーバとの通信接続を確立し、データ交換を実行するのを可能にする通信インターフェース１８；
−例えば表示モジュール１７内に含まれる、キーパッド又はタッチ・インターフェース等の選択インターフェース１９；
−特に、別様にはマトリックス画像センサとも呼ばれる画像センサを含む、少なくとも１つの画像を捕捉するモジュール２０
を備え、モジュール２０は、例えば、ＣＣＤ技術（電荷移動技術）センサ又はいわゆるＣＭＯＳ技術センサを含む。
【００３１】
この電子デバイス３において、処理ユニット２１は、とりわけ、表示モジュール１７、同報通信インターフェース、通信インターフェース１８及び選択インターフェース１９に接続される。この電子デバイス３の通信インターフェース１８は、ある距離で、携帯電話ネットワークを介して、電話ネットワークを介するＩＰ型データ・ネットワークを介して、又は中距離ネットワーク、例えば、Ｗｉ−Ｆｉ、若しくはＢｌｕｅｔｏｏｔｈに基づく短距離ネットワークを介するＩＰ型データ・ネットワークを介して、データを送受信する通信要素を備える。
【００３２】
捕捉モジュール２０の各画像センサは、感光性画像ドット・マトリックス（又は画素）を含む。このドット・マトリックスは、「画素マトリックス」とも呼ばれ、優れた光感度を有するＮ×Ｍ単位の画素を含む。捕捉モジュール２０は、電子デバイス３の処理ユニット２１に接続したアナログ・デジタル変換器ＡＮも備える。
【００３３】
図２を参照すると、このシステム１は、トークン化による電子決済に関与することができる非接触決済可搬物体２を起動する方法を使用する。
【００３４】
この方法は、電子デバイス３によって、信頼できる第三者機関サーバ４から到来する決済トークン９を入手するステップ３０を含み、信頼できる第三者機関サーバ４は、トークン９による決済サービスを提供する。ステップ３０は、電子デバイス３によって、起動端末５上に含まれる第１のグラフィカル表現１４ａをデジタル化するサブステップ３１を含み、グラフィカル表現１４ａは、マトリックス・コードを含む。このサブステップ３１は、電子デバイス３を起動端末５のすぐ近傍に配置するとすぐにこの第１のグラフィカル表現１４ａを取得する段階３２をもたらし、捕捉モジュール２０が、第１のグラフィカル表現１４ａに対向して配設されるようにする。この段階３２の間、画素マトリックスは、第１のグラフィカル表現１４ａから到来する少なくとも１つの画像を検出し、次に、この画像に関連するアナログ信号を生成する。次に、捕捉モジュール２０のアナログ・デジタル変換器は、この画素マトリックスから到来したこれらのアナログ信号を、デジタル信号に変換し、次に、これらのデジタル信号を電子デバイス３の処理ユニット２１に送信する。
【００３５】
その後、このステップ３０は、２進情報シーケンスを入手する目的で、マトリックス・コードを復号するサブステップ３３を含み、２進情報シーケンスは、電子デバイス３を環境設定するデジタル・ファイルの距離位置に関係するデータを含む。このサブステップ３３は、取得した、マトリックス・コードを含むグラフィカル表現１４ａに関係するデジタル信号を処理する段階３４を含む。この段階３４の間、処理ユニット２１は、該デジタル信号に復号アルゴリズムを適用し、電子デバイス３を環境設定するデジタル・ファイルの位置に関係するデータを含む２進情報信号を入手するようにする。これら２進情報シーケンスは、好ましくは、ハイパーテキスト・リンクを含む。
【００３６】
次に、入手ステップ３０は、デジタル・ファイルによって環境設定した電子デバイス３によって、この決済トークン９を入手する要求を生成するサブステップ３５を含み、決済トークン９は、少なくとも１つのバンキング・データ項目１２を含む該トークンを生成するデータを含む。既にわかるように、バンキング・データ項目１２は、特に、可搬物体２の保持者の銀行口座及び／又は決済方法のための媒体といった特徴を含む。そのような生成データは、非制限的、非網羅的に、
−保持者の銀行カード番号；
−カード有効期限
を含む。
【００３７】
代替的に、これらの生成データは、保持者の個人データ：姓、名、住所等及び／又は保持者の銀行口座番号を含むこともできる。
【００３８】
このサブステップ３５は、電子デバイス３を環境設定する段階３６を含み、段階３６の間、処理ユニット２１によってハイパーテキスト・リンクを含む２進情報シーケンスを実行した後、電子ファイルをファイル・サーバからダウンロードするとすぐに、この電子ファイルを処理ユニット２１によって実行する。したがって、この環境設定段階３６は、デジタル・ファイルの実行によって、コンピュータ・プログラム（又はソフトウェア・アプリケーション）のインストールの実施を可能にし、次に、コンピュータ・プログラム（又はソフトウェア・アプリケーション）は、このトークン９の入手要求を生成する段階３７の間、処理ユニット２１によって使用される。この生成段階３７は、可搬物体２の保持者の少なくとも１つのバンキング・データ項目の収集の実行をもたらす。次に、１つ又は複数のバンキング・データ項目１２は、特に電子デバイス３の選択インターフェース１９及び表示インターフェース１７から、入手要求の生成を予期して、処理ユニット２１内で一時的に記録される。次に、処理ユニット２１は、該収集した少なくとも１つのバンキング・データ項目からこのトークン９の入手要求を生成する。その後、このサブステップ３５は、該少なくとも１つのバンキング・データ項目を含む入手要求を、トークンによる決済サービスを提供する、信頼できる第三者機関４のサーバに送信する段階３８を含む。この段階３８の間、要求内に含まれる該収集した少なくとも１つのバンキング・データ項目を暗号化することができる、及び／又は要求をこのサーバ４に安全なネットワークを介して送信することができる。この入手要求は、信頼できる第三者機関４のサーバに直接又は間接的に送信し得ることに留意されたい。この送信を間接的に実行する場合、要求は、別様には英語で「トークン・リクエスタ（ｔｏｋｅｎ  ｒｅｑｕｅｓｔｏｒ）」と呼ばれる、トークン化サービスとして働く技術的プラットフォームによりこのサーバ４に送信され、次に、サーバ４は、トークン９に関する要求の伝達に対処することができる。
【００３９】
その後、この入手ステップ３０は、信頼できる第三者機関４のサーバによって、決済トークン９を電子デバイス３に送信するサブステップ３９を含む。このサブステップ３９は、このサーバ４が受信した該少なくとも１つのバンキング・データ項目から、決済トークン９を生成する段階４０を含む。この段階４０の間、次に、サーバ４の処理モジュール１０は、該少なくとも１つのバンキング・データ項目から得た決済トークン９を生成する。そのような段階４０は、アルゴリズム等、このトークン９に対する乱数生成ツールを使用することができる。一変形形態では、このトークン９は、１つ又は複数のバンキング・データ項目１２、及び分散体（ｄｉｖｅｒｓｉｆｉｅｒ）から生成することができ、分散体は、決済取引に対する権限を表し、サーバ４が決定した制限基準、例えば、１つ若しくは複数のバンキング取引に対する妥当性、時間的妥当性、又は取引天井に対する妥当性を使用する。
【００４０】
方法は、可搬物体２を使用し、電子デバイス３内に含まれるトークン９を可搬物体２に送信する目的で、起動端末５により可搬物体２を環境設定するステップ４１も含む。このステップ４１は、起動端末５上／内に画定したデータ送信区域１６上／内に可搬物体２を配置するサブステップ４２を含む。このサブステップ４２の間、可搬物体２は、この区域１６上／内に配置され、可搬物体２の非接触近接通信モジュール６と、起動端末５の第１の通信モジュール１５ａとの間の最適なデータ交換を保証するようにする。
【００４１】
その後、環境設定ステップ４１は、電子デバイス３によって、起動端末５上に含まれる第２のグラフィカル表現１４ｂをデジタル化するサブステップ４３を含み、グラフィカル表現１４ｂは、マトリックス・コードを含む。このサブステップ４３は、この捕捉モジュール２０が、この第２のグラフィカル表現に対向して配設されるように電子デバイス３を起動端末５のすぐ近傍に配置するとすぐに、この第２のグラフィカル表現１４ｂを取得する段階４４をもたらす。この段階４４の間、画素マトリックスは、第２のグラフィカル表現１４ｂから到来する少なくとも１つの画像を検出し、次に、この画像に関連するアナログ信号を生成する。次に、捕捉モジュール２０のアナログ・デジタル変換器は、この画素マトリックスから到来したこれらのアナログ信号を、デジタル信号に変換し、その後、これらのデジタル信号を電子デバイス３の処理ユニット２１に送信する。
【００４２】
次に、この環境設定ステップ４１は、２進情報シーケンスを入手する目的で、マトリックス・コードを復号するサブステップ４５を含み、２進情報シーケンスは、この電子デバイスと起動端末５との間の通信リンクの環境設定に関係するデータを含む。このサブステップ４５は、取得した、マトリックス・コードを含む第２のグラフィカル表現１４ｂに関係するデジタル信号を処理する段階４６を含む。この段階４６の間、処理ユニット２１は、該デジタル信号に復号アルゴリズムを適用し、この電子デバイス３と起動端末５との間の通信リンクの環境設定に関係するデータを含む２進情報シーケンスを入手するようにする。
【００４３】
次に、入手ステップ４１は、電子デバイス３と起動端末５との間に通信リンクを確立するサブステップ４７を含む。このサブステップ４７の間、処理ユニット２１は、この電子デバイス３の通信インターフェース１８をパラメータ化し、通信インターフェース１８と、起動端末５の第２の通信モジュール１５ｂとの間の通信リンクを環境設定する。
【００４４】
次に、可搬物体２を環境設定するサブステップ４８の間、決済取引での使用に備えて、電子デバイス３の処理ユニット２１は、起動端末５の第２の通信モジュール１５ｂに、電子デバイス３の通信インターフェース１８を介して、信頼できる第三者機関４のサーバが生成したトークン９を送信する。次に、このトークン９は、起動端末５の第１の通信モジュールによって、可搬物体２の非接触近接通信モジュール６を介してこの物体２に送信される。
【００４５】
可搬物体２は、このように起動され、商人／店主と、この可搬物体２の保持者との間に確立された取引の間、トークン化による電子決済に関与することができる。
【００４６】
本発明は、コンピュータ・プログラムにも関し、コンピュータ・プログラムは、サーバ４の処理モジュール１０、電子デバイス３の処理ユニット２１、及び可搬物体２の非接触近接通信モジュール６によって該コンピュータ・プログラムを実行した際、上記した方法ステップを実行するプログラム・コード命令を含む。
【００４７】
当然、本発明は、図示の例に限定されるものではなく、当業者には明らかであるように、様々な変形形態及び修正形態が可能である。
【符号の説明】
【００４８】
２  可搬非接触決済物体
３  電子デバイス
４  信頼できる第三者機関
５  起動端末
９  決済トークン
【図１】
2020064633.tif 000003
【図２】
2020064633.tif 000004
【外国語明細書】
2020064633000001.pdf